(57)【要約】  【課題】  コストアップを抑え、簡単に排気フィルターを外部に取り外せる電気掃除機を提供する。  【解決手段】  吸気口７から吸引され、ダストボックス部３に塵埃は溜まり、電動機送風機２からの排気中に含まれる塵埃を除去するために、掃除機本体１の上面に配置された排気口８の掃除機本体部に配置された排気フィルター６で更に排気を清浄にして排気口８から排出する。排気フィルター６は、ダストカバー５を閉じた時に、上から押さえこまれるようにして、ダストカバー５で排気フィルター６を本体と挟み込むことによって掃除機本体１に取り付けられている。排気フィルターを掃除機本体から外部に取り外す時には、ダストカバー５を摺動させて上方に開くことにより、排気フィルター６を掃除機本体１から外部に容易に取り外すことができる。掃除機本体１に取り付ける時は、再びダストカバー５にて、掃除機本体１との間に挟み込むことによって取付けられる。  【選択図】      図１
2006334053.tif 000002
【特許請求の範囲】
【請求項１】
電気掃除機本体に電動機送風機を内蔵し、吸気流路の途中で該電動機送風機の前部には塵埃を溜めるダストボックス部を設け、本体から排出される排気の排気口の掃除機本体部に、その排気中に含まれる塵埃を除去するための排気フィルターを設けてなる電気掃除機において、前記排気フィルターを、前記ダストボックス部を覆うダストカバーにて、掃除機本体との間に挟み込むことによって取付けることを特徴とする電気掃除機。
【請求項２】
前記排気フィルターを介する排気の排気口は掃除機本体の上面に配置されることを特徴とする請求項１記載の電気掃除機。
【請求項３】
前記排気フィルターを介する排気の排気口は掃除機本体の側面に配置されることを特徴とする請求項１記載の電気掃除機。
【請求項４】
前記ダストボックス部には塵埃が溜まる紙パックなどを収納するタイプであることを特徴とする請求項１乃至請求項３記載の電気掃除機。
【発明の詳細な説明】
【技術分野】
【０００１】
本発明は電気掃除機に係り、特に排気フィルターを有する電機掃除機に関する。
【背景技術】
【０００２】
従来の排気フィルターを設けている電気掃除機は、排気フィルターを掃除機本体内部に内側から取付けていたが、最近、排気フィルターを付けて、しかもその性能を上げる要望が強くなってきた。
【０００３】
しかし、高性能の排気フィルターにおいては、吸い込み性能維持（排気圧損を下げる）するために捕集した塵埃を水洗いなどによって、排気フィルターを掃除機本体から定期的に除去する必要があり、そのため、排気フィルターを掃除機本体から外部に取り外せるようにして掃除機本体に取り付ける必要がある。そのため、外部に取り外せるようにするために、排気フィルターを掃除機本体に取り付け押さえるカバーが必要であった（例えば、特許文献１を参照）。
【０００４】
また、一般的な床移動型の電気掃除機においては、掃除機本体に内蔵した電動送風機からの排気を本体背面側等に形成された排気口から外部に排出するようにしているが、電動送風機からの排気がかなりの勢いで外部に吹き出されている。
【特許文献１】特開２００４−１６６８６４号公報
【発明の開示】
【発明が解決しようとする課題】
【０００５】
このように、従来の排気フィルターを設けている電気掃除機は、排気カバーのコストの問題や、その排気カバーによる外観上のデザイン的な問題、また、排気フィルターには、高い排圧がかかるため、頑強に取付けなければならず、逆に、取り外す時には簡単に外せない問題があった。また、排気風によって床面や絨毯上に沈滞する塵埃が舞い上がって、部屋中に拡散するという不具合が生じていた。そこで、本発明は、コストアップを最大限に抑え、また、簡単に排気フィルターを外部に取り外せることができる電気掃除機を提供することを目的とする。
【課題を解決するための手段】
【０００６】
上記課題を解決するために、本発明の請求項１に係る電気掃除機は、電気掃除機本体に電動機送風機を内蔵し、吸気流路の途中で該電動機送風機の前部には塵埃を溜めるダストボックス部を設け、本体から排出される排気の排気口の掃除機本体部に、その排気中に含まれる塵埃を除去するための排気フィルターを設けてなる電気掃除機において、前記排気フィルターを、前記ダストボックス部を覆うダストカバーにて、掃除機本体との間に挟み込むことによって取付けるように構成した。
【０００７】
こうして、塵挨が溜まる紙バックなどを収めるダストボックス部を覆うダストカバーにて、排気フィルターを本体に押さえ込むという簡単な構成で、コストアップを最小限に抑え、デザイン的な問題もクリアできて確実に排気フィルターを本体に押さえ込むことができる。また、フィルターのお手入れのための着脱も簡単にできる。
【０００８】
本発明の請求項２に係る電気掃除機は、電気掃除機本体に電動機送風機を内蔵し、吸気流路の途中で該電動機送風機の前部には塵埃を溜めるダストボックス部を設け、本体から排出される排気の排気口の掃除機本体部に、その排気中に含まれる塵埃を除去するための排気フィルターを設けてなる電気掃除機において、前記排気フィルターを介する排気の排気口は掃除機本体の上面に配置し、前記排気フィルターを、前記ダストボックス部を覆うダストカバーにて、掃除機本体との間に挟み込むことによって取付けるように構成した。
【０００９】
こうして、塵挨が溜まる紙バックなどを収めるダストボックス部を覆うダストカバーにて、排気フィルターを本体に押さえ込むという簡単な構成で、コストアップを最小限に抑え、デザイン的な問題もクリアできて確実に排気フィルターを本体に押さえ込むことができる。また、排気口を本体の上面に設けた場合は、排気風による床面の埃の舞い上がりを防止できる。また、フィルターのお手入れのための着脱も簡単にできる。
【００１０】
本発明の請求項３に係る電気掃除機は、電気掃除機本体に電動機送風機を内蔵し、吸気流路の途中で該電動機送風機の前部には塵埃を溜めるダストボックス部を設け、本体から排出される排気の排気口の掃除機本体部に、その排気中に含まれる塵埃を除去するための排気フィルターを設けてなる電気掃除機において、前記排気フィルターを介する排気の排気口は掃除機本体の側面に配置し、前記排気フィルターを、前記ダストボックス部を覆うダストカバーにて、掃除機本体との間に挟み込むことによって取付けるように構成した。
【００１１】
こうして、塵挨が溜まる紙バックなどを収めるダストボックス部を覆うダストカバーにて、排気フィルターを本体に押さえ込むという簡単な構成で、コストアップを最小限に抑え、デザイン的な問題もクリアできて確実に排気フィルターを本体に押さえ込むことができる。また、フィルターのお手入れのための着脱も簡単にできる。
【００１２】
本発明の請求項４に係る電気掃除機は、上記請求項１乃至請求項３記載の電気掃除機において、前記ダストボックス部には塵埃が溜まる紙パックなどを収納する構成とした。
【発明の効果】
【００１３】
このように、本発明の電気掃除機は、塵挨が溜まる紙バックなどを収めるダストボックス部を覆うダストカバーにて、排気フィルターを本体に押さえ込むという簡単な構成で、コストアップを最小限に抑え、デザイン的な問題もクリアできて確実に排気フィルターを本体に押さえ込むことができる。また、排気口を本体の上面に設けた場合は、排気風による床面の埃の舞い上がりを防止できる。
【発明を実施するための最良の形態】
【００１４】
本発明の電気掃除機の第１の実施形態を図１、図２に示し、第２の実施形態を図３、図４に示す。夫々について図面を参照して説明する。図において、１は電気掃除機本体、２は電動機送風機、３は集塵を溜めるダストボックス部、４は紙パック、５はダストカバー、６は排気フィルター、７は吸気口、８は排気口である。
【実施例１】
【００１５】
図１には、排気フィルターを設けてなる電機掃除機において、排気フィルターを介する排気の排気口が掃除機本体の上面に配置されたタイプの本発明の電気掃除機を示す。
【００１６】
本発明の電気掃除機は、掃除機本体１の内部には電動機送風機２が内蔵されており、その前には、集塵を溜めるダストボックス部３が形成されている。ダストボックス部３には塵埃が溜まる紙パック４などが収納される。吸気口７から吸引され、ダストボックス部３の紙パック４に塵埃は溜まり、吸気流路を経て電動機送風機２から排出される排気中に含まれる塵埃を除去するために、掃除機本体１の上面に配置された排気口８の掃除機本体部に配置された排気フィルター６で更に排気を清浄にして排気口８から排出する。
【００１７】
排気フィルター６は電動機送風機２の上側に置かれ、塵埃が溜まる紙パック４などを収めるダストボックス部３を覆うダストカバー５を閉じた時に、上から押さえこまれるようにして、ダストカバー５で排気フィルター６を本体と挟み込むことによって掃除機本体１に取り付けられている。ダストボックス部３は、ダストカバー５によってそのシール性を得ている。
【００１８】
紙パック４を取り出す時、あるいは吸い込み性能維持（排気圧損を下げる）するために捕集した塵埃を水洗いする目的で、排気フィルターを掃除機本体から定期的に外部に取り外す時には、図２に示すように、ダストカバー５を摺動させて上方に開くことにより、排気フィルター６を掃除機本体１から外部に容易に取り外すことができる。また、排気フィルター６を洗浄した後、掃除機本体１に取り付ける時は、再び排気フィルター６を、ダストボックス部３を覆うダストカバー５にて、掃除機本体１との間に挟み込むことによって取付けることができる。
【００１９】
これにより、塵挨が溜まる紙バック４などを収めるダストボックス部３を覆うダストカバー５にて、排気フィルター６を本体に押さえ込むという簡単な構成で、コストアップを最小限に抑え、デザイン的な問題もクリアできて確実に排気フィルター６を本体に押さえ込むことができる。また、排気口８を本体の上面に設けているので、排気風による床面の埃の舞い上がりを防止できる。
【実施例２】
【００２０】
次に図３には、排気フィルタを設けてなる電機掃除機において、排気フィルターを介する排気の排気口は掃除機本体の側面に配置されたタイプの本発明の電気掃除機を示す。図１のものとは、排気口が掃除機本体の上面に配置されているか側面に配置されているかの相違にすぎない。
【００２１】
本発明の電気掃除機は、掃除機本体１の内部には電動機送風機２が内蔵されており、その前には、集塵を溜めるダストボックス部３が形成されている。ダストボックス部３には塵埃が溜まる紙パック４などが収納される。吸気口７から吸引され、ダストボックス部３の紙パック４に塵埃は溜まり、吸気流路を経て電動機送風機２から排出される排気中に含まれる塵埃を除去するために、掃除機本体１の側面にに配置された排気口８の掃除機本体部に配置された排気フィルター６で更に排気を清浄にして排気口８から排出する。
【００２２】
排気フィルター６は電動機送風機２の上側に置かれ、塵埃が溜まる紙パック４などを収めるダストボックス部３を覆うダストカバー５を閉じた時に、上から押さえこまれるようにして、ダストカバー５で排気フィルター６を本体と挟み込むことによって掃除機本体１に取り付けられている。ダストボックス部３は、ダストカバー５によってそのシール性を得ている。
【００２３】
紙パック４を取り出す時、あるいは吸い込み性能維持（排気圧損を下げる）するために捕集した塵埃を水洗いする目的で、排気フィルターを掃除機本体から定期的に外部に取り外す時には、図４に示すように、ダストカバー５を摺動させて上方に開くことにより、排気フィルター６を掃除機本体１から外部に容易に取り外すことができる。また、排気フィルター６を洗浄した後、掃除機本体１に取り付ける時は、再び排気フィルター６を、ダストボックス部３を覆うダストカバー５にて、掃除機本体１との間に挟み込むことによって取付けることができる。
【００２４】
これにより、塵挨が溜まる紙バック４などを収めるダストボックス部３を覆うダストカバー５にて、排気フィルター６を本体に押さえ込むという簡単な構成で、コストアップを最小限に抑え、デザイン的な問題もクリアできて確実に排気フィルター６を本体に押さえ込むことができる。これらの実施例では、ダストボックス部３塵挨が溜まる紙バック４などを収納するタイプで説明したが、これに限ることなく、サイクロン方式、フィルターのみのタイプのものにも適用できるものである。
【図面の簡単な説明】
【００２５】
【図１】本発明の第１の実施形態の電気掃除機の断面図（上面排気の場合）。
【図２】本発明の電気掃除機のダストカバー開時の断面図（上面排気の場合）。
【図３】本発明の第２の実施形態の電気掃除機の断面図（側面排気の場合）。
【図４】本発明の電気掃除機のダストカバー開時の断面図（側面排気の場合）。
【符号の説明】
【００２６】
１        電気掃除機本体
２        電動機送風機
３        ダストボックス部
４        紙パック
５        ダストカバー
６        排気フィルター
７        吸気口
８        排気口
【図１】
2006334053.tif 000003
【図２】
2006334053.tif 000004
【図３】
2006334053.tif 000005
【図４】
2006334053.tif 000006